(57)【要約】【課題】画像表示装置において表示される画像と、画像表示装置が設置された環境とを最適に制御することにより、利用者にとって最適な画像を提供する。【解決手段】表示モードとして３種類に対応したモードがあり、これらのうちのいずれかが選択される（モード設定工程）。これによって、映像信号処理設定パラメータが設定され、これに応じて映像信号処理部１２が動作する（映像信号処理工程）。同時に、バックライト設定パラメータが設定され、これに応じてバックライト制御回路１８及びバックライト１７が動作する（バックライト制御工程）。同時に、間接照明設定パラメータが設定され、間接照明制御回路２０及び間接照明用ライト１９が動作する（間接照明制御工程）。映像信号処理部１２が出力する映像信号に基づく画像を表示手段によって表示する（表示工程）。この動作においては、コンテンツの種類によって最適な画像が表示される。【選択図】図１
2009122367.tif 000002
【特許請求の範囲】
【請求項１】
入力された映像信号が映像信号処理手段を介して表示手段に出力されることによって前記映像信号による画像を表示する画像表示装置であって、
前記画像表示装置の周辺を照明する間接照明光を発する間接照明手段と、
前記画像の表示モードによって前記映像信号処理手段における映像信号処理設定パラメータ及び前記間接照明手段における間接照明設定パラメータを決定する制御手段と、
を具備することを特徴とする画像表示装置。
【請求項２】
前記間接照明手段は、出力される前記映像信号におけるフレームレートと同一周波数で制御されることを特徴とする請求項１に記載の画像表示装置。
【請求項３】
出力される前記映像信号におけるフレームレートを変更する倍速駆動回路が用いられ、
前記制御手段は、前記画像の表示モードによって、前記フレームレートを決定することを特徴とする請求項１または２に記載の画像表示装置。
【請求項４】
前記表示手段においてバックライトが用いられ、
前記制御手段は、前記バックライトにおけるバックライト設定パラメータを設定することを特徴とする請求項１から３までのいずれか１項に記載の画像表示装置。
【請求項５】
前記バックライト設定パラメータによって、少なくとも前記バックライトにおける色温度、輝度のいずれかが制御されることを特徴とする請求項４に記載の画像表示装置。
【請求項６】
前記バックライトは、出力される前記映像信号におけるフレームレートと同一周波数で制御されることを特徴とする請求項４または５に記載の画像表示装置。
【請求項７】
前記表示手段において、前記画像が液晶パネルによって表示されることを特徴とする請求項４から請求項６までのいずれか１項に記載の画像表示装置。
【請求項８】
前記間接照明手段にも前記バックライトが用いられることを特徴とする請求項４から請求項７までのいずれか１項に記載の画像表示装置。
【請求項９】
前記バックライトの周囲にスリットが設けられ、前記スリットから発した光が前記間接照明光として用いられることを特徴とする請求項８に記載の画像表示装置。
【請求項１０】
前記間接照明設定パラメータによって、少なくとも前記間接照明手段における色温度、輝度、照射角度のいずれかが制御されることを特徴とする請求項１から請求項９までのいずれか１項に記載の画像表示装置。
【請求項１１】
前記映像信号処理手段には、少なくともＹＣ分離処理、ＩＰ（インタレース・プログレッシブ）変換処理、ＮＲ（ノイズリダクション）処理のいずれかが含まれることを特徴とする請求項１から請求項１０までのいずれか１項に記載の画像表示装置。
【請求項１２】
前記映像信号処理手段において、フレーム相関処理、ライン相関処理のうちのいずれかが用いられることが前記映像信号処理設定パラメータとして設定されることを特徴とする請求項１１に記載の画像表示装置。
【請求項１３】
前記映像信号処理手段において前記映像信号のガンマ補正が行われ、該ガンマ補正に用いられるガンマカーブが前記映像信号処理設定パラメータとして設定されることを特徴とする請求項１から請求項１２までのいずれか１項に記載の画像表示装置。
【請求項１４】
出力される前記映像信号におけるフレーム間に黒色信号を挿入する黒挿入回路が用いられ、
前記制御手段は、前記画像の表示モードによって、前記黒色信号の挿入の有無を決定することを特徴とする請求項１から請求項１３までのいずれか１項に記載の画像表示装置。
【請求項１５】
デジタル方式のテレビジョン放送を受信して、テレビジョン放送用信号及びＥＰＧ（Ｅｌｅｃｔｒｉｃ  Ｐｒｏｇｒａｍ  Ｇｕｉｄｅ）情報を抽出する受信手段を具備し、
前記制御手段は、前記ＥＰＧ情報から前記表示モードを設定することを特徴とする請求項１から請求項１４までのいずれか１項に記載の画像表示装置。
【請求項１６】
入力された映像信号を処理して該映像信号による画像を表示すると共に、間接照明用ライトが発する間接照明光によって前記画像の周辺を照明する画像表示方法であって、
前記画像の表示モードを設定するモード設定工程と、
前記表示モードによって決定される映像信号処理設定パラメータを用いて前記映像信号の処理を行う映像信号処理工程と、
前記映像信号の処理後の映像信号に基づく画像を表示する表示工程と、
前記表示モードによって決定される間接照明設定パラメータを用いて前記間接照明用ライトの制御を行う間接照明制御工程と、
を具備することを特徴とする画像表示方法。
【請求項１７】
前記間接照明用ライトを、出力される前記映像信号におけるフレームレートと同一周波数で制御することを特徴とする請求項１６に記載の画像表示方法。
【請求項１８】
前記画像の表示モードによって、出力される前記映像信号におけるフレームレートを設定することを特徴とする請求項１６または１７に記載の画像表示方法。
【請求項１９】
前記表示工程においてはバックライトが用いられ、
前記表示モードによって決定されるバックライト設定パラメータを用いて前記バックライトの制御を行うバックライト制御工程を具備することを特徴とする請求項１６から請求項１８までのいずれか１項に記載の画像表示方法。
【請求項２０】
前記バックライト設定パラメータによって、少なくとも前記バックライトにおける色温度、輝度のいずれかを制御することを特徴とする請求項１９に記載の画像表示方法。
【請求項２１】
前記バックライトを、出力される前記映像信号におけるフレームレートと同一周波数で制御することを特徴とする請求項１９または２０に記載の画像表示方法。
【請求項２２】
前記表示工程において、前記画像を液晶パネルによって表示することを特徴とする請求項１９から請求項２１までのいずれか１項に記載の画像表示方法。
【請求項２３】
前記間接照明光として前記バックライトが発する光を用いることを特徴とする請求項１９から請求項２２までのいずれか１項に記載の画像表示方法。
【請求項２４】
前記バックライトの周囲にスリットを設け、前記スリットから発した光を前記間接照明光として用いることを特徴とする請求項２３に記載の画像表示方法。
【請求項２５】
前記間接照明設定パラメータによって、前記間接照明光の少なくとも色温度、輝度、照射角度のいずれかを制御することを特徴とする請求項１６から請求項２４までのいずれか１項に記載の画像表示方法。
【請求項２６】
前記映像信号処理工程において、少なくともＹＣ分離処理、ＩＰ（インタレース・プログレッシブ）変換処理、ＮＲ（ノイズリダクション）処理のいずれかを行うことを特徴とする請求項１６から請求項２５までのいずれか１項に記載の画像表示方法。
【請求項２７】
前記映像信号処理工程において、フレーム相関処理、ライン相関処理のうちのいずれかを用いることを前記映像信号処理設定パラメータとして設定することを特徴とする請求項２６に記載の画像表示方法。
【請求項２８】
前記映像信号処理工程において前記映像信号のガンマ補正を行い、
該ガンマ補正に用いられるガンマカーブを前記映像信号処理設定パラメータとして設定することを特徴とする請求項１６から請求項２７までのいずれか１項に記載の画像表示方法。
【請求項２９】
前記画像の表示モードに応じて、出力される前記映像信号におけるフレーム間への黒色信号を挿入することを特徴とする請求項１６から請求項２８までのいずれか１項に記載の画像表示方法。
【請求項３０】
デジタル方式のテレビジョン放送を受信して、テレビジョン放送用信号及びＥＰＧ（Ｅｌｅｃｔｒｉｃ  Ｐｒｏｇｒａｍ  Ｇｕｉｄｅ）情報を抽出する受信工程を具備し、
前記モード設定工程において、前記ＥＰＧ情報から前記表示モードを設定することを特徴とする請求項１６から請求項２９までのいずれか１項に記載の画像表示方法。
【発明の詳細な説明】
【技術分野】
【０００１】
本発明は、映像信号を用いて画像を表示する画像表示装置、及びこれに用いられる画像表示方法に関する。
【背景技術】
【０００２】
例えば、テレビジョン受像機等の画像表示装置においては、表示される画面の輝度、コントラスト、色調等が適切に制御され、良好なカラー画像が表示される。これらの値は利用者によって調整することができ、これらの値を自動的に最適な値に調整することができる機能も用いられる。
【０００３】
一方、利用者にとって、ここで表示される画像の印象は、このテレビジョン受像機における画像だけで決まるものではない。その印象は、このテレビジョン受像機が設置された部屋の環境にも大きく左右される。また、画像の印象だけでなく、部屋の環境は利用者の眼性疲労にも大きな影響を与える。この環境としては、特に部屋の照明の影響が大きい。
【０００４】
このため、例えば特許文献１には、テレビジョン受像機にネオン管を設置し、このネオン管を間接照明として用いる技術が記載されている。この技術においては、利用者がテレビジョン受像機を制御する際にネオン管の照度や照射角度を制御したり、テレビジョン受像機の動作に応じて自動的にこれらが制御される。これにより、利用者にとってより良好なカラー画像を得ることができた。
【０００５】
また、ＩＦＡ（Ｉｎｔｅｒｎａｔｉｏｎａｌ  Ｒａｄｉｏ  Ｅｘｈｉｎｂｉｔｉｏｎ  Ｂｅｒｌｉｎ）２００７では、テレビジョン受像機の画面の背後や周囲にカラーＬＥＤを設置し、この発光の度合いを表示画面に応じて変化させる技術（アンビエント・ライト技術）を用いたテレビジョン受像機が紹介されている。この技術においては、例えば画面の色が赤色の場合にはその周辺の発光を赤色とし、画面の色が緑色の場合にはその周辺の発光を緑色とする。この動作によって、表示される画面を強調したり、表示画面を大きく見せることができ、利用者は映画館でこの画像を見ている場合と同様の感覚でこの画像を見ることができる。すなわち、この技術においても、画像に合わせて間接照明を制御することにより、利用者にとって良好なカラー画像を得ることができた。
【特許文献１】特開平１０−３１２１６０号公報
【発明の開示】
【発明が解決しようとする課題】
【０００６】
しかしながら、表示されるカラー画像は様々であり、上記の画像表示方法が適さない場合も多い。例えば、スポーツ中継の様に、画像の色彩よりもその動きが重視される場合もあるが、風景を映した画像のように、動きは重視されず、自然に近い色彩が重視される場合もある。特許文献１に記載の技術や前記のアンビエント・ライト技術は、前者の場合にはその動きが強調されることにより、利用者はより迫力を楽しむことができるが、後者の場合には利用者にとっては過激な色彩と感じられる。また、常に明るい画面で激しい動きを見続けると、眼性疲労の原因となる。
【０００７】
従って、画像表示装置において表示される画像と、画像表示装置が設置された環境とを最適に制御することにより、利用者にとって最適な画像を提供することは困難であった。
【０００８】
本発明は、斯かる問題点に鑑みてなされたものであり、上記問題点を解決する発明を提供することを目的とする。
【課題を解決するための手段】
【０００９】
本発明は、上記課題を解決すべく、以下に掲げる構成とした。
本発明の画像表示装置は、入力された映像信号が映像信号処理手段を介して表示手段に出力されることによって前記映像信号による画像を表示する画像表示装置であって、前記画像表示装置の周辺を照明する間接照明光を発する間接照明手段と、前記画像の表示モードによって前記映像信号処理手段における映像信号処理設定パラメータ及び前記間接照明手段における間接照明設定パラメータを決定する制御手段と、を具備することを特徴とする。
本発明の画像表示装置において、前記間接照明手段は、出力される前記映像信号におけるフレームレートと同一周波数で制御されることを特徴とする。
本発明の画像表示装置において、出力される前記映像信号におけるフレームレートを変更する倍速駆動回路が用いられ、前記制御手段は、前記画像の表示モードによって、前記フレームレートを決定することを特徴とする。
本発明の画像表示装置は、前記表示手段においてバックライトが用いられ、前記制御手段は、前記バックライトにおけるバックライト設定パラメータを設定することを特徴とする。
本発明の画像表示装置において、前記バックライト設定パラメータによって、少なくとも前記バックライトにおける色温度、輝度のいずれかが制御されることを特徴とする。
本発明の画像表示装置において、前記バックライトは、出力される前記映像信号におけるフレームレートと同一周波数で制御されることを特徴とする。
本発明の画像表示装置において、前記表示手段における前記画像が液晶パネルによって表示されることを特徴とする。
本発明の画像表示装置において、前記間接照明手段にも前記バックライトが用いられることを特徴とする。
本発明の画像表示装置において、前記バックライトの周囲にスリットが設けられ、前記スリットから発した光が前記間接照明光として用いられることを特徴とする。
本発明の画像表示装置において、前記間接照明設定パラメータによって、少なくとも前記間接照明手段における色温度、輝度、照射角度のいずれかが制御されることを特徴とする。
本発明の画像表示装置において、前記映像信号処理手段には、少なくともＹＣ分離処理、ＩＰ（インタレース・プログレッシブ）変換処理、ＮＲ（ノイズリダクション）処理のいずれかが含まれることを特徴とする。
本発明の画像表示装置は、前記映像信号処理手段において、フレーム相関処理、ライン相関処理のうちのいずれかが用いられることが前記映像信号処理設定パラメータとして設定されることを特徴とする。
本発明の画像表示装置は、前記映像信号処理手段において前記映像信号のガンマ補正が行われ、該ガンマ補正に用いられるガンマカーブが前記映像信号処理設定パラメータとして設定されることを特徴とする。
本発明の画像表示装置において、出力される前記映像信号におけるフレーム間に黒色信号を挿入する黒挿入回路が用いられ、前記制御手段は、前記画像の表示モードによって、前記黒色信号の挿入の有無を決定することを特徴とする。
本発明の画像表示装置は、デジタル方式のテレビジョン放送を受信して、テレビジョン放送用信号及びＥＰＧ（Ｅｌｅｃｔｒｉｃ  Ｐｒｏｇｒａｍ  Ｇｕｉｄｅ）情報を抽出する受信手段を具備し、前記制御手段は、前記ＥＰＧ情報から前記表示モードを設定することを特徴とする。
本発明の画像表示方法は、入力された映像信号を処理して該映像信号による画像を表示すると共に、間接照明用ライトが発する間接照明光によって前記画像の周辺を照明する画像表示方法であって、前記画像の表示モードを設定するモード設定工程と、前記表示モードによって決定される映像信号処理設定パラメータを用いて前記映像信号の処理を行う映像信号処理工程と、前記映像信号の処理後の映像信号に基づく画像を表示する表示工程と、前記表示モードによって決定される間接照明設定パラメータを用いて前記間接照明用ライトの制御を行う間接照明制御工程と、を具備することを特徴とする。
本発明の画像表示方法は、前記間接照明用ライトを、出力される前記映像信号におけるフレームレートと同一周波数で制御することを特徴とする。
本発明の画像表示方法は、前記画像の表示モードによって、出力される前記映像信号におけるフレームレートを設定することを特徴とする。
本発明の画像表示方法において、前記表示工程においてはバックライトが用いられ、前記表示モードによって決定されるバックライト設定パラメータを用いて前記バックライトの制御を行うバックライト制御工程を具備することを特徴とする。
本発明の画像表示方法は、前記バックライト設定パラメータによって、少なくとも前記バックライトにおける色温度、輝度のいずれかを制御することを特徴とする。
本発明の画像表示方法は、前記バックライトを、出力される前記映像信号におけるフレームレートと同一周波数で制御することを特徴とする。
本発明の画像表示方法は、前記表示工程において、前記画像を液晶パネルによって表示することを特徴とする。
本発明の画像表示方法は、前記間接照明光として前記バックライトが発する光を用いることを特徴とする。
本発明の画像表示方法において、前記バックライトの周囲にスリットを設け、前記スリットから発した光を前記間接照明光として用いることを特徴とする。
本発明の画像表示方法は、前記間接照明設定パラメータによって、前記間接照明光の少なくとも色温度、輝度、照射角度のいずれかを制御することを特徴とする。
本発明の画像表示方法は、前記映像信号処理工程において、少なくともＹＣ分離処理、ＩＰ（インタレース・プログレッシブ）変換処理、ＮＲ（ノイズリダクション）処理のいずれかを行うことを特徴とする。
本発明の画像表示方法は、前記映像信号処理工程において、フレーム相関処理、ライン相関処理のうちのいずれかを用いることを前記映像信号処理設定パラメータとして設定することを特徴とする。
本発明の画像表示方法は、前記映像信号処理工程において前記映像信号のガンマ補正を行い、該ガンマ補正に用いられるガンマカーブを前記映像信号処理設定パラメータとして設定することを特徴とする。
本発明の画像表示方法は、前記画像の表示モードに応じて、出力される前記映像信号におけるフレーム間への黒色信号を挿入することを特徴とする。
本発明の画像表示方法は、デジタル方式のテレビジョン放送を受信して、テレビジョン放送用信号及びＥＰＧ（Ｅｌｅｃｔｒｉｃ  Ｐｒｏｇｒａｍ  Ｇｕｉｄｅ）情報を抽出する受信工程を具備し、前記モード設定工程において、前記ＥＰＧ情報から前記表示モードを設定することを特徴とする。
【発明の効果】
【００１０】
本発明は以上のように構成されているので、画像表示装置において表示される画像と、画像表示装置が設置された環境とを最適に制御することにより、利用者にとって最適な画像を提供することができる。
【発明を実施するための最良の形態】
【００１１】
以下、本発明を実施するための最良の形態について説明する。以下では、本発明の実施の形態となる画像表示装置として、テレビジョン受像機について説明する。
【００１２】
（第１の実施の形態）
本発明の第１の実施の形態であるテレビジョン受像機１０の構成を示す図が図１である。
【００１３】
ここで、このテレビジョン受像機１０においては、テレビジョン放送（デジタル放送）を受信し、その放送用信号から映像信号を抽出するチューナ（受信手段）１１から出力される映像信号が用いられる。また、外部機器から入力された（外部入力）映像信号も用いられ、これらの映像信号は映像信号処理部（映像信号処理手段）１２に入力される。ここで、どちらの映像信号にもインタレース処理が用いられている。また、実際には音声信号も存在するが、音声信号の処理については従来と異なる点はないため、その記載は省略する。
【００１４】
このテレビジョン受像機１０は部屋に設置されるが、その際に、表示画面は利用者の側に向けられ、表示画面の反対側の面は壁に向かって設置される。この設置方法は、一般のテレビジョン受像機の設置方法と同様である。
【００１５】
映像信号処理部（映像信号処理手段）１２においては、まず入力切替回路１２１により上記のいずれかの映像信号が選択される。その後、この映像信号はＡＤ変換回路１２２に入力され、以降の処理に適したデジタル信号に変換される。ただし、入力された映像信号が既にデジタル信号である場合にはこの処理は行われない。その後、この信号はＹＣ分離回路１２３に入力され、ＹＣ分離処理が行われ、Ｙ信号（輝度信号）とＣ信号（色差信号）とに分離される。次に、これらの信号はＩＰ変換回路１２４に入力され、ＩＰ変換（インタレース・プログレッシブ変換）が行われる。次に、これらの信号はスケーリング回路１２５において表示画面の大きさあるいは画素数に合わせるべく変換される。更に、画質補正回路１２６では、ガンマ補正、コントラストの補正等がされて出力される。なお、以上の映像信号処理部１２の働きは従来より知られるものと同様である。
【００１６】
映像信号処理部１２における以上の動作は、映像信号処理設定パラメータにより設定され、適宜制御される。
【００１７】
まず、ＹＣ分離処理、ＩＰ変換の処理においては、これをフレーム相関処理で行うか、ライン相関処理で行うかの２種類が選択される。フレーム相関処理で行う場合には、現在処理中の前のフレームのデータを一時的に記憶するフレームメモリ１３が用いられる。ライン相関処理を行う場合にはフレームメモリ１３に記憶されたデータは用いられず、ライン毎のデータの相関処理が行われる。フレーム相関処理（３次元ＹＣ分離処理）は静止画像において良好なカラー画像を再生する場合には有効であるが、フレーム間の平均的なデータが出力されるため、フレーム間の変化の激しい画像の処理には適さない。逆に、ライン間相関処理は、静止画像の処理には適さないが、フレーム間の動きの激しい画像の処理に適している。すなわち、映像信号処理部１２においては、フレーム相関を用いるかライン相関を用いるかが映像信号処理設定パラメータとして制御される。
【００１８】
また、画質補正回路１２６におけるガンマ補正のパラメータ（ガンマカーブ）は一定ではなく、可変となっている。すなわち、ここで用いられるガンマカーブも、映像信号処理部１２における映像信号処理設定パラメータとして制御される。
【００１９】
なお、映像信号処理部１２においては、図１に記載した構成要素の他に、他の処理を行う構成要素を設けることもできる。例えば、同様にフレーム相関あるいはライン相関を利用したＮＲ（ノイズリダクション）処理回路を設けてもよい。この処理においては、前記と同様に、フレーム間あるいはライン間の加重平均処理が行われることにより、画像におけるノイズを低減させる。
【００２０】
次に、平均輝度検出回路１４は、この映像信号から画面の平均輝度を算出する。その後、ＬＣＤ（Ｌｉｑｕｉｄ  Ｃｒｙｓｔａｌ  Ｄｉｓｐｌａｙ）制御回路１５は、この映像信号を元に、液晶パネル１６を制御し、表示画像を生成する。
【００２１】
このテレビジョン受像機１０において画像を表示する表示手段としては、液晶パネル１６とバックライト１７とが用いられる。バックライト１７は、液晶パネル１６のほぼ全面にわたり形成されており、液晶パネル１６に照明光を供給する。すなわち、液晶パネル１６がバックライト１７からの照明光で照明されることによってこの表示画像はカラー画像として表示される。バックライト１７は異なる色温度の光を発する複数の冷陰極管で構成され、各冷陰極管の輝度は動作電圧で決定される、この電圧はＬＣＤ制御回路１５より制御されたバックライト制御回路１８により設定される。また、バックライト１７全体が発する照明光の色温度はバックライト制御回路１８が各冷陰極管の動作電圧を独立に制御し、出力される照明光を調整することによって制御される。すなわち、バックライト１７においては、輝度と色温度とが各冷陰極管の動作電圧（バックライト設定パラメータ）によって独立に制御される。
【００２２】
このテレビジョン受像機１０においては、バックライト１７の他に、間接照明手段として、間接照明用ライト１９、間接照明制御回路２０が設けられている。間接照明用ライト１９は、例えばＲＧＢ３色のＬＥＤ（発光ダイオード）から構成されており、液晶パネル１６の周囲に設けられており、このテレビジョン受像機１０が設置された部屋の間接照明ともなっている。すなわち、利用者が表示画面を見る際には、間接照明用ライト１９から発した光（間接光）は直接利用者に届かないが、壁等から反射することによって、表示画像の周辺の雰囲気を形成する。このテレビジョン受像機１０の斜め前方（液晶パネル１６のある側）から、特に液晶パネル１６と間接照明用ライト１９との関係について見た外観斜視図を図２に示す。ここで、図中の矢印は利用者がこのテレビジョン受像機１０における液晶パネル１６中の表示画面１６１を見る方向である。また、バックライト１７はこのテレビジョン受像機１０における内部において、液晶パネル１６の裏側に設置されており、図２においては図示されていない。この構成により、間接照明光はバックライト１７が発する照明光とは異なり、このテレビジョン受像機１０の周辺を照射し、部屋全体に対する間接照明を行う。
【００２３】
ＬＣＤ制御回路１５は、間接照明制御回路２０を介して、この間接照明用ライト１９を制御する。間接照明用ライト１９の輝度及び色温度の制御は、バックライト１７と同様に、間接照明制御回路２０によって行われる。また、ＲＧＢ３色のＬＥＤは複数組設けられており、これらを切り替えることにより、例えばその照射角度を利用者側、テレビジョン受像機１０の背後側等に切り替えることができる。すなわち、間接照明用ライト１９においては、色温度、輝度、照射角度が各ＬＥＤのＯＮ／ＯＦＦ、動作電圧等（間接照明設定パラメータ）によって独立に制御される。
【００２４】
以上の構成において、バックライト制御回路１８、間接照明制御回路２０の動作はＬＣＤ制御回路１５により設定される。
【００２５】
更に、上記の構成において、表示される画像のフレームレートとして、６０Ｈｚ、９０Ｈｚ、１２０Ｈｚ、１８０Ｈｚの４種類が選択される。このテレビジョン受像機１０におけるこのフレームレートに応じた動作について以下に説明する。
【００２６】
設定される最も低いフレームレートは６０Ｈｚであり、この場合には図１における倍速駆動回路２１における処理は行われない。この他の場合には、倍速駆動回路２１によって、６０Ｈｚのフレームレートの映像信号に対してフレーム補間処理が行われ、９０Ｈｚ、１２０Ｈｚ、１８０Ｈｚのフレームレートの映像信号がＬＣＤ制御回路１５に出力され、液晶パネル１６で表示される。従って、倍速駆動回路２１を動作させた場合の最低フレームレートは９０Ｈｚである。このフレームレートが高いほど画像における動きに対する応答性が高くなる。
【００２７】
この際、倍速駆動回路２１は、表示される画像（動画）における残像感が少なくなる制御も行う。例えば、ＬＣＤ制御回路１５において、このフレームレートが高い場合には液晶パネル１６の駆動電圧の立ち上がり時の電圧を高く設定させる（オーバードライブ制御）。また、フレームレートに応じてバックライト１７及び間接照明用ライト１９の制御周波数も変える。このため、倍速駆動回路２１は、バックライト制御回路１８、間接照明制御回路２０の動作周波数もフレームレートと同一もしくは略同一の周波数で制御する。
【００２８】
また、残像感を少なくするためには、黒挿入回路２２も用いられる。黒挿入回路２２は、出力する映像信号のフレーム間に黒色信号を挿入することにより、残像感を少なくする。この黒色信号挿入の動作の有無もフレームレートと同様に選択される。
【００２９】
なお、以上の動作においては、フレームレートが高い場合には、速い動きに対応する画像が表示される一方で、消費電力が高くなる。フレームレートが低い場合には速い動きに対応した画像は表示しにくくなる一方で、消費電力は低くなる。従って、後述するように、これらの動作は適宜設定される。
【００３０】
制御部（制御手段）２３はマイクロコンピュータで構成され、このテレビジョン受像機１０の全体を制御する。まず、制御部２３は映像信号処理部１２における画質補正回路１２６の動作、ＬＣＤ制御回路１５におけるバックライト制御回路１８、間接照明制御回路２０の動作のモードを制御する。この動作のモードは画像の表示モードにより設定される。すなわち、前記の映像信号処理設定パラメータ、バックライト設定パラメータ、及び間接照明設定パラメータは、図１におけるメモリ２４に記憶され、制御部２３によって選択され、読み出されて設定される。この際、倍速駆動回路２１、黒挿入回路２２の動作もこの表示モードによって決定される。すなわち、フレームレート（６０Ｈｚ、９０Ｈｚ、１２０Ｈｚ、１８０Ｈｚ）、黒色信号の挿入の有無もこの表示モードにより、制御部２３によって決定される。
【００３１】
次に、この動作について説明する。この動作においては、例えば、このテレビジョン受像機１０が出力するコンテンツの種類によって以上の制御において用いられるパラメータの値が設定され、コンテンツの種類によって最適な画像が表示される。ここでは、コンテンツの種類として、（１）スポーツ中継、（２）ニュース、（３）映画の３種類の場合につき説明する。また、これに応じて制御される特性は、（ａ）映像信号処理におけるフレーム相関／ライン相関、（ｂ）ガンマ特性、（ｃ）黒色信号挿入の有無、（ｄ）液晶表示のフレームレート、（ｅ）バックライトの輝度と色温度、（ｆ）間接照明ライトの輝度、色温度、及び照射角度であり、その概要を図３に表として示す。
【００３２】
すなわち、ここでは、表示モードとして前記の３種類に対応したモードがあり、これらのうちのいずれかが選択される（モード設定工程）。これによって、映像信号処理設定パラメータが設定され、これに応じて映像信号処理部１２が動作する（映像信号処理工程）。同時に、バックライト設定パラメータが設定され、これに応じてバックライト制御回路１８及びバックライト１７が動作する（バックライト制御工程）。同時に、間接照明設定パラメータが設定され、間接照明制御回路２０及び間接照明用ライト１９が動作する（間接照明制御工程）。映像信号処理部１２が出力する映像信号に基づく画像を表示手段によって表示する（表示工程）。
【００３３】
まず第１に、（１）スポーツ中継モードについて説明する。この画面の特徴は、画面の動きが激しいことである。また、特に球技においてはボールの一瞬の動きも鮮明に表示することが必要になる。このため、図３における上段の特性が選択される。
【００３４】
この場合には、映像信号処理部１２における映像信号処理（映像信号処理工程）においては、動きが強調できる処理を行うことが好ましい。このため、ＹＣ分離回路１２３においては、前記のフレーム相関処理ではなく、ライン相関処理を行うことが好ましい。ＩＰ変換回路１２４についても同様である。
【００３５】
また、画像のコントラストは高めることが好ましいため、画質補正回路１２６におけるガンマ補正においては、画像のコントラストが高くなるべくそのパラメータを設定することが好ましい。従って、図３上段に示されるように、ガンマカーブとしては、特に中間部分で大きな変化率となる特性が用いられる。なお、ここで示されるガンマカーブにおいては、横軸が入力レベルであり、縦軸が出力レベルである。
【００３６】
また、特にこの場合には残像感を少なくすることが必要であるため、映像信号におけるフレーム間に、黒挿入回路２２によって黒色信号を挿入させる。同様に、倍速駆動回路２１には、フレームレートを１８０Ｈｚと高くした出力をさせ、ＬＣＤ制御回路１５、バックライト制御回路１８、間接照明制御回路２０にもこのフレームレートでの動作を行わせる。
【００３７】
以上は液晶パネル１６で出力される映像信号に関する処理における設定内容であるが、このテレビジョン受像機１０においては、同時にバックライト１７、間接照明用ライト１９の設定内容も制御される。すなわち、バックライト１７の制御（バックライト制御工程）と、間接照明用ライト１９の制御（間接照明制御工程）も、同時に、これに応じて行う。
【００３８】
まず、画面全体を明るく鮮明に表示させるためには、バックライト１７の輝度及び色温度は高いことが好ましい。このため、バックライト制御回路１８は、バックライト１７の輝度を高くし、色温度は例えば１２０００Ｋと設定する。これにより、表示される画像の輝度及びコントラストを高くすることができる。
【００３９】
表示された画像を更に明瞭にするため、同時に間接照明用ライト１９の輝度及び色温度も高く設定することが好ましい。従って、間接照明制御回路２０は間接照明用ライト１９の輝度を高くし、色温度もバックライト１７と同様に例えば１２０００Ｋと設定する。また、実際にこのスポーツが行われている会場と近づけるため、このテレビジョン受像機１０の周辺を明るくすることが好ましい。従って、間接照明用ライト１９の照射角度は利用者側、すなわち、このテレビジョン受像機１０の正面側とする。
【００４０】
この動作においては、前記の通り、フレームレートが高いために、ＬＣＤ制御回路１５等における消費電力が高くなる。また、バックライト１７及び間接照明用ライト１９の輝度も高いため、これらにおける消費電力も高くなる。従って、このテレビジョン受像機１０における消費電力は高くなるが、特にスポーツ中継をこのテレビジョン受像機１０で視聴する場合に最適な環境が得られる。すなわち、実際にこのスポーツが行われている会場と同様の感覚でこれを視聴することができる。
【００４１】
次に、（３）映画モードについて説明する。この場合の画面の特徴は、画面の動きが少ないが、その色彩が重視される点である。このため、図３における下段の特性が選択される。
【００４２】
従って、この場合には、映像信号処理部１２における処理は、動きについては重視せず、色彩が強調できる処理を行うことが好ましい。このため、ＹＣ分離回路１２３においては、ライン相関処理ではなく、フレーム相関処理を行うことが好ましい。ＩＰ変換回路１２４についても同様である。
【００４３】
また、画像のコントラストにおいては、色彩を強調するためには特に暗部の階調表現を上げることが好ましい。従って、画質補正回路１２６におけるガンマ補正においては、暗部で画像のコントラストが高くなるべくそのパラメータを設定することが好ましい。従って、この場合のガンマカーブとしては、図３下段に示されるような、立ち上がり部分で傾きが大きい特性が用いられる。
【００４４】
この場合には残像感を少なくすることは特に必要ではないため、黒挿入回路２２は動作させない。同様に、倍速駆動回路２１には、フレームレートを９０Ｈｚと低くした出力をさせ、ＬＣＤ制御回路１５、バックライト制御回路１８、間接照明制御回路２０にもこのフレームレートでの動作を行わせる。これにより、これらの回路における消費電力を低くすることができる。なお、この場合には倍速駆動回路２１における処理を行わせない設定とし、フレームレートを６０Ｈｚと設定してもよい。
【００４５】
照明光については、これを映画館の雰囲気に近づけることが好ましい。従って、照明光は全体的に暗くする設定が好ましい。このため、バックライト１７の輝度及び色温度は低く設定する。例えば、色温度は例えば６５００Ｋと設定する。これにより、表示される画像を全体的に暗くし、かつ暗部の色彩を明瞭にすることができる。
【００４６】
間接照明用ライト１９の輝度及び色温度も、バックライト１７と同様である。すなわち、輝度を低く、色温度を６５００Ｋ程度と低く設定する。また、照射角度は利用者とは逆側、すなわち、一般には壁側となっている側を照射方向とする。
【００４７】
この動作においては、画像における激しい動きには対応できないものの、特に映画をこのテレビジョン受像機１０で視聴する場合に最適な環境が得られる。すなわち、映画館と同様の環境でこれを視聴することができる。また、ＬＣＤ制御回路１５等における消費電力が低くなる。また、バックライト１７及び間接照明用ライト１９の輝度も低いため、これらにおける消費電力も低くなる。従って、このテレビジョン受像機１０における消費電力を低くすることができる。
【００４８】
次に、（２）ニュース番組モードについて説明する。この場合の画面の特徴は、前記のスポーツ中継の場合と映画の場合の中間であるという点である。すなわち、スポーツ中継ほど動きを強調する必要はなく、映画ほど高い画質が要求されることもない。
【００４９】
従って、映像信号処理部１２における処理、バックライト１７、間接照明用ライト１９の設定は、（１）スポーツ中継モードの場合と（３）映画モードの場合の中間的なものとすることが好ましい。このため、図３における中段の特性が選択される。
【００５０】
すなわち、バックライト１７及び間接照明用ライト１９の輝度はスポーツ中継モードの場合と映画モードの場合の中間の値とし、これらの色温度は例えば９０００Ｋ程度の値に設定する。間接照明用ライト１９の照射角度は、適度に画面を照射すればよく、前面を明るくする必要はないため、このテレビジョン受像機１０の画面の上側と中央部付近を明るくする設定とする。
【００５１】
同様に、倍速駆動回路２１には、フレームレートを前記の二つのモードの中間の１２０Ｈｚとした出力をさせ、ＬＣＤ制御回路１５、バックライト制御回路１８、間接照明制御回路２０にもこの周波数での動作を行わせる。
【００５２】
映像信号処理部１２における処理（ＹＣ分離処理、ＩＰ変換）としては、フレーム相関とライン相関のどちらを行ってもよい。しかしながら、ニュース番組の画像は動画よりも静止画に近いため、フレーム相関処理を行わせることが好ましい。
【００５３】
黒挿入回路２２の動作についても、任意の設定を行うことができる。ただし、低消費電力という観点からは、黒色挿入を行わせないことが好ましい。
【００５４】
この構成により、特にニュース番組をこのテレビジョン受像機１０で視聴する場合に最適な環境が得られる。
【００５５】
上記の動作において、例えばスポーツ中継を（３）映画モードで視聴した場合、動きが強調されない。また、映画を（１）スポーツ中継モードで視聴した場合には、色彩等の画質が良好ではなく、かつ、表示が利用者にとって過激であり、眼性疲労を生ずる。従って、上記の表示モードが選択されることによって、利用者にとって最適な画像が提供される。
【００５６】
また、（１）スポーツ中継モードにおいては、動きが強調された表示がなされるが、（３）映画モードにおいては、動きを強調しない代わりに、このテレビジョン受像機１０における消費電力を低くすることができる。また、静止画像もしくはこれに近い画像を良好な画質で表示することができる。この中間的な動作を行う（２）ニュース番組モードも設定される。
【００５７】
なお、チューナ（受信手段）１１がテレビジョン放送用電波を受信し、映像信号を抽出する際（受信工程）に、ＥＰＧ（Ｅｌｅｃｔｒｉｃ  Ｐｒｏｇｒａｍ  Ｇｕｉｄｅ）情報を入手することができる。このＥＰＧ情報によって、上記のコンテンツ内容（スポーツ中継、映画、ニュース番組）を認識することができる。すなわち、制御部２３は、ＥＰＧ情報からコンテンツ内容を判定し、自動的に前記の表示モードを設定することができる。
【００５８】
また、映像信号の入力がゲームである場合には画面の動きを重視する設定が好ましいため、前記のスポーツ中継と同様の設定とすることが好ましい。すなわち、制御部２３は、入力切替回路１２１の設定に応じて表示モードを設定することができる。
【００５９】
あるいは、この表示モードを利用者が自由に設定できる構成としてもよい。すなわち、図３におけるコンテンツ内容がスポーツ番組の場合を「ダイナミックモード」、映画の場合を「シネマモード」、ニュース番組等の場合を「スタンダードモード」としたＡＶモードを設定し、これを利用者が自由に選択する設定とすることができる。この場合には、例えばアクション映画のように動きの激しい映画の場合には、利用者はスポーツ中継と同様の設定とすることができる。
【００６０】
また、以上は、コンテンツの種類に応じて３種類の表示モードを設定する例であるが、表示モードをより細かく設定し、これを外部環境に応じて選択することもできる。
【００６１】
例えば、このテレビジョン受像機１０が設置された部屋の照度を検出する照度計を設け、その照度によってこれらの設定を行ってもよい。この場合、部屋の照度が低い場合には特に間接照明用ライト１９の色温度、輝度を高く設定することができる。また、調整後の部屋の照度を更にフィードバックして間接照明用ライト１９の色温度、輝度を調整することによって、部屋の照明を最適化する構成としてもよい。この際、平均輝度検出回路１４で検出された映像信号の平均輝度に応じてこれらを設定することもできる。
【００６２】
また、時刻によってこれらの設定を行ってもよい。この場合、昼間は一般には環境は明るいため、間接照明用ライト１９の色温度、輝度は低く設定し、あるいは、これをオフとしてもよい。
【００６３】
また、コンテンツの種類、部屋の環境、時刻の全てに基づいて映像信号処理部１２、バックライト１７、間接照明用ライト１９の動作内容、あるいはフレームレートの設定や黒色信号挿入の有無等を設定してもよい。同様にして、これらの動作内容は適宜設定が可能である。
【００６４】
上記の構成によって、画像表示装置において表示される画像と、画像表示装置が設置された環境とを最適に制御することにより、利用者にとって最適な画像を提供することができる。
【００６５】
なお、上記の例では、このテレビジョン受像機１０がデジタル放送を受信する場合につき記載したが、これに限られるものではない。アナログ放送を受信する場合にも、同様のＩＰ変換、ＮＲ処理等を行うことができる。従って、映像信号処理部においては、ＹＣ分離処理、ＩＰ変換、ＮＲ処理、ガンマ補正の少なくともいずれかを行い、その処理を前記の映像信号処理設定パラメータを用いて行うことができる。フレームレートの設定や黒色信号挿入の有無についても同様である。同様に、ここで行う処理は適宜設定できる。
【００６６】
また、上記の例では、バックライトにおいては色温度と輝度が制御されたが、これらのうちの少なくとも一方だけを制御することもでき、この場合には効果は小さくなるものの、同質の効果が得られる。間接照明手段についても同様であり、上記の例では色温度、輝度、照射角度が制御されたが、これらのうちの少なくとも一つを制御してもよい。フレームレートの設定、バックライトや間接照明用ライトの制御周波数の設定、黒色信号挿入の有無についても同様であり、これらを独立に設定した制御を行ってもよい。
【００６７】
更に、上記の例では、バックライトが用いられていたが、バックライトが用いられず、間接照明用ライト（間接照明手段）のみが用いられる場合でも、これを映像信号処理部の動作と同調させて制御することにより、同質の効果を奏することは明らかである。
【００６８】
（第２の実施の形態）
一方、特に間接照明用ライトを設けず、バックライトが発する光を間接照明光としても用いることも可能である。この構成を用いたテレビジョン受像機３０の外観斜視図を図４に示す。ここで、図中の矢印は利用者がこのテレビジョン受像機３０を見る方向である。すなわち、図４は図２とは逆向きからこのテレビジョン受像機３０を見た図となっている。このテレビジョン受像機３０の構成は、図１における間接照明用ライト１９及び間接照明制御回路２０が用いられない点以外は、図１と同様である。
【００６９】
このテレビジョン受像機３０においては、バックライト３１は液晶パネル３２の裏側全面にわたり設置されており、液晶パネル３２の全面にわたって照明光を供給している。バックライト３１の側面及び背面は金属カバーで覆われているが、側面には水平方向に沿って形成された複数のスリット３３ａが設けられており、このスリット３３ａの個々の開閉が制御部によって制御される。このスリット３３ａを通して、バックライト３１中の冷陰極管が発する光は裏側から外部に漏れる。この漏れた光を間接照明光として用いることができる。これにより、この間接照明光の輝度や照射角度を制御することができる。
【００７０】
同様に、このテレビジョン受像機３０における裏面にも垂直方向に沿って形成された複数のスリット３３ｂが設けられており、この開閉の制御によっても間接照明光の輝度や照射角度を制御することができる。このように、任意の形態のスリットをテレビジョン受像機３０の周囲におけるバックライト３１の表面に設け、その開閉を制御することによって、間接照明光の輝度や照射角度を制御することができる。
【００７１】
第１の実施の形態において設定される表示モード（図３）においては、バックライトにおける色温度と間接照明用ライトにおける色温度を同一と設定していた。こうした場合には、間接照明用ライトを設けず、図４に示す構成を用いることにより、同様の効果を得ることができる。すなわち、より単純な構成を用いて第１の実施の形態と同様の作用及び効果を得ることができる。
【００７２】
なお、上記のいずれの例においてもテレビジョン受像機について記載したが、間接照明手段を具備する画像表示装置であれば本願発明が適用されることは明らかである。
【図面の簡単な説明】
【００７３】
【図１】本発明の第１の実施の形態となるテレビジョン受像機の構成を示す図である。
【図２】本発明の第１の実施の形態となるテレビジョン受像機の外観斜視図である。
【図３】本発明の第１の実施の形態となるテレビジョン受像機において用いられる３種類の表示モードにおける動作内容について示す図である。
【図４】本発明の第２の実施の形態となるテレビジョン受像機の外観斜視図である。
【符号の説明】
【００７４】
１０、３０  テレビジョン受像機
１１  チューナ（受信手段）
１２  映像信号処理部（映像信号処理手段）
１３  フレームメモリ
１４  平均輝度検出回路
１５  ＬＣＤ制御回路
１６、３２  液晶パネル
１７、３１  バックライト
１８  バックライト制御回路
１９  間接照明用ライト（間接照明手段）
２０  間接照明制御回路（間接照明手段）
２１  倍速駆動回路
２２  黒挿入回路
２３  制御部（制御手段）
２４  メモリ
３３ａ、３３ｂ  スリット
１２１  入力切替回路
１２２  ＡＤ変換回路
１２３  ＹＣ分離回路
１２４  ＩＰ変換回路
１２５  スケーリング回路
１２６  画質補正回路
１６１  表示画面
【図１】
2009122367.tif 000003
【図２】
2009122367.tif 000004
【図４】
2009122367.tif 000005
【図３】
2009122367.tif 000006